(57)【特許請求の範囲】
【請求項１】
壁面本体と、横材と、棚とを備え、横材は、壁面本体の前側に突出しており、棚は、係合部と、上側当接部と、取付補助材と、固定手段とを有しており、係合部は、壁面本体又は横材に設けた被係合部に係合するものであり、上側当接部は、棚の係合部より前側の下面に位置していて、横材の上面に当接し、取付補助材は、棚の上側当接部より前側の下面に予め取り付けてあって、横材の下面に当接する下側当接部を有しており、固定手段は、上側当接部と下側当接部とで横材を挟み込んだ状態で取付補助材を固定するものであることを特徴とする壁面体。
【請求項２】
上側当接部と下側当接部が略対向して横材を挟み込むことを特徴とする請求項１記載の壁面体。
【請求項３】
取付補助材は、棚の下面に回動自在に取り付けてあり、棚の上側当接部と取付補助材の間の下面に、固定部が設けてあり、取付補助材を回動させて下側当接部を横材の下面に当接させて、ネジからなる固定手段で取付補助材を固定部にネジ止めするものであることを特徴とする請求項１又は２記載の壁面体。
【発明の詳細な説明】
【技術分野】
【０００１】
本発明は、住宅の敷地境界などに設置されるフェンスなどの壁面体に関する。
【背景技術】
【０００２】
住宅の敷地境界などに設置されるフェンスなどの壁面体は、外部からの視線を遮断し、かつ外部からの侵入者を防ぐためのものであるが、一方で、こうした壁面体に植木鉢などを飾ったり、種々の道具を置いたりしたいという要望があった。そこで、壁面体に棚を設けることが考えられるが、この棚は、生活スタイルや趣味嗜好の変化に合わせて自在に着脱できるものであることが望ましい。従来、壁面に着脱自在な棚を設けるものとしては、たとえば特許文献１，２の発明があり、何れも棚の後側（壁面側）の端部に形成した係合部を壁面の溝に係合させ、かつ係合部の下部に形成した当接部を壁面に当接させて、この二点で棚を支持している。
【先行技術文献】
【特許文献】
【０００３】
【特許文献１】特開平１１−８９６５６号公報
【特許文献２】特開２００２−３６４１０３号公報
【発明の概要】
【発明が解決しようとする課題】
【０００４】
しかしながら、これらの発明においては、棚は壁面に対して上側の一点で係合し、下側の一点で当接しているだけなので、棚に下側から力が加わると、容易に外れてしまう。特にフェンスなどの壁面体の場合、その近傍を通る人が棚にぶつかって下側から衝撃を受けることがあり、また、一般に屋外に設置されるものであるから、風によって下側からあおられることもあるので、このような取付構造では不十分である。
【０００５】
本発明は、上記事情を鑑みたものであり、着脱容易であって、取り付けた際には下側から力が加わっても外れることがない棚を備える壁面体を提供することを目的とする。
【課題を解決するための手段】
【０００６】
本発明のうち請求項１の発明は、壁面本体と、横材と、棚とを備え、横材は、壁面本体の前側に突出しており、棚は、係合部と、上側当接部と、取付補助材と、固定手段とを有しており、係合部は、壁面本体又は横材に設けた被係合部に係合するものであり、上側当接部は、棚の係合部より前側の下面に位置していて、横材の上面に当接し、取付補助材は、棚の上側当接部より前側の下面に予め取り付けてあって、横材の下面に当接する下側当接部を有しており、固定手段は、上側当接部と下側当接部とで横材を挟み込んだ状態で取付補助材を固定するものであることを特徴とする。
【０００７】
本発明のうち請求項２の発明は、上側当接部と下側当接部が略対向して横材を挟み込むことを特徴とする。
【０００８】
本発明のうち請求項３の発明は、取付補助材は、棚の下面に回動自在に取り付けてあり、棚の上側当接部と取付補助材の間の下面に、固定部が設けてあり、取付補助材を回動させて下側当接部を横材の下面に当接させて、ネジからなる固定手段で取付補助材を固定部にネジ止めするものであることを特徴とする。
【発明の効果】
【０００９】
本発明のうち請求項１の発明によれば、棚の係合部を被係合部に係合させ、取付補助材の下側当接部を横材に当接させて固定手段により固定するだけで、容易に棚を取り付けることができ、また、逆の手順により容易に取り外すことができる。そして棚は、上側当接部が横材の上面に当接し、下側当接部が横材の下面に当接しているので、横材に対して上下方向に規制され、下側から力が加わっても外れることがない。
【００１０】
本発明のうち請求項２の発明によれば、上側当接部と下側当接部が対向して上下から横材を挟み込んでいるので、棚が横材に対してより確実に固定される。
【００１１】
本発明のうち請求項３の発明によれば、取付補助材を回動させて下側当接部を横材に当接させ、ネジ止めするだけで、容易に棚を取り付けることができ、また、逆の手順により容易に取り外すことができる。そして、取付補助材は棚の固定部にネジ止めするものであって、横材に直接取り付けるものではないので、横材にはネジ孔加工などが不要であり、棚を外した状態の意匠性が良好である。
【図面の簡単な説明】
【００１２】
【図１】棚の取付部分の縦断面図を示し、（ａ）は取付状態、（ｂ）は中間状態、（ｃ）は取外状態である。
【図２】壁面体の第一実施形態の正面図である。
【図３】図２のＡ−Ａ線断面図（縦断面図）である。
【図４】図２のＢ−Ｂ線断面図（横断面図）である。
【図５】第二実施形態の縦断面図である。
【図６】第三実施形態の縦断面図である。
【図７】第四実施形態の縦断面図である。
【図８】第五実施形態の棚の取付部分の縦断面図である。
【発明を実施するための形態】
【００１３】
以下、本発明の実施の形態を図面に基づいて説明する。なお、以下において上下左右とは、図２における上下左右を示し、図２の手前側を前側、奥側を後側とする。この壁面体の第一実施形態は、図２〜図４に示すように、左右の柱材１０１と、上端部の桁材１０２とを門形に組んで、その内周側に壁面本体１及び横材２を納めたものである。
【００１４】
壁面本体１は、左右に延びる板材１１を上下に連設したものであって、各板材１１の上端面には凸部１１ａが形成してあり、下端面には凹部１１ｂが形成してあって、下側の板材１１の凸部１１ａが上側の板材１１の凹部１１ｂに嵌まっている。そして板材１１三枚ごとに、左右に延びる横材２を挟んである。横材２は、図１に示すように、上側部材２ａと下側部材２ｂとを組み合わせたものであって、板材１１よりも前側に突出しており、後側面は板材１１の後側面と略面一である。上面（上側部材２ａ）の後側端には上側に向けて開口する溝部２１が形成してあり、溝部２１にはセッティングブロック２２を挿入してあって、セッティングブロック２２の上側部分が板材１１の凹部１１ｂに嵌まっている。そして突出部分の上面は略平面で前側下方に傾斜しており、突出部分の後側端（溝部２１の前側）には、後側に向けて開口する溝状の被係合部８を形成してある。また、下面（下側部材２ｂ）は前後方向中央から前後両側に向けて下方に傾斜している。さらに、横材２の下側には、スペーサ２３を挟んで補助横材２４を連結してある。補助横材２４の上面は、前後方向中央から前後両側に向けて下方に傾斜しており、横材２の下面と補助横材２４の上面との間には前後方向に貫通するへの字形の貫通路２５が形成されている。この貫通路２５により、視線を通すことなく通風を確保できる。そして補助横材２４の下面の後側端には、下側に向けて開口する溝部２６が形成してあり、板材１１の凸部１１ａが溝部２６に嵌まっている。
【００１５】
なお、最も上側の板材１１の上側には補助横材２４が接続してあり、さらに補助横材２４の上側にはスペーサ２３を挟んで横材２が接続してある。ただし、この横材２は下側部材２ｂの上側にカバー材２ｃを組み合わせたものであり、カバー材２ｃは被係合部を有していない。一方、最も下側の板材１１の下側には横材２が接続してある。ただし、この横材２は上側部材２ａの下側に断面略矩形の補強材２ｄを組み合わせたものである。
【００１６】
また、壁面本体１、横材２及び補助横材２４の左右両端には、それぞれ上下に延びる縦材１０３が当接しており、縦材１０３側から壁面本体１、横材２及び補助横材２４をネジ止めしてあって、壁面本体１、横材２、補助横材２４及び縦材１０３が一体となっている。そして縦材１０３は、柱材１０１にネジ止めしてある。
【００１７】
さらに、壁面体の右側から略１／４の位置には、上下に延びる中骨１０４を取り付けてある。中骨１０４は、壁面本体１の前側に当接し、横材２の上面と補助横材２４の下面にネジ止めしてある。
【００１８】
そして、この壁面体には、棚３を自在に着脱できる。棚３は、左右に延びる基礎部材３１と、同じく左右に延びる二本のパイプ材３２ａ，３２ｂとを備え、基礎部材３１は後側端に、二本のパイプ材３２ａ，３２ｂは前後方向略中央及び前側端に位置している。そして、基礎部材３１及びパイプ材３２ａ，３２ｂの左右両端には側面板３３がネジ止めしてあり、基礎部材３１、パイプ材３２ａ，３２ｂ及び側面板３３は一体となっている。基礎部材３１は、図１に示すように、前後に延びる載置部３４を有する。載置部３４の後側端は下側に折れ曲がり、さらにその下端が前側に折れ曲がって係合部４を形成している。また、載置部３４の係合部４より前側の下面には、上側当接部５を設けてある。上側当接部５は、下側に向けて開口する取付溝５１を有し、取付溝５１にタイト材５２を取り付けてある。さらに、載置部３４の前側端は下方に湾曲し、先端には下側に向けて開口する断面円形の溝が形成されていて、後述の取付補助材６を回動自在に取り付ける軸受部３５となっている。そして軸受部３５の後側からは、後側下方に向けて固定部１０が延出しており、固定部１０には所定箇所にネジ孔７１を設けてある。また、中央のパイプ材３２ａは、断面円形であり、前側端のパイプ材３２ｂは、断面略長円形であって、前側端上部に突起部３６を有する。この棚３は、基礎部材３１の上面に物品を置いたり、基礎部材３１とパイプ材３２ａ，３２ｂに跨って物品を置いたりすることができ、基礎部材３１とパイプ材３２ａ，３２ｂに跨って物品を置く際には、突起部３６により物品が前側に落下することを防ぐ。また、パイプ材３２ａ，３２ｂにフックなどを掛けて使用することもできる。
【００１９】
さらに、基礎部材３１には棚３を横材２に固定するための取付補助材６が取り付けてある。取付補助材６は、上端に断面円形の軸部６１を有し、軸部６１を基礎部材３１の軸受部３５の端部から挿入することで、基礎部材３１に対して回動自在となる。軸部６１の下側には、固定部１０のネジ孔７１に対向して挿入孔６２を設けてあり（左右二箇所）、さらにその下側から腕部６３が延出している。そして、腕部６３の先端には下側当接部９を設けてある。下側当接部９は、上側に向けて開口する取付溝９１を有し、取付溝９１にタイト材９２を取り付けてある。さらに、固定部１０のネジ孔７１には取付補助材６の挿入孔６２を通してネジ（固定手段）７が取り付けてある。ネジ７を緩めた状態では、図１（ｂ）に示すように、取付補助材６は基礎部材３１に対して回動自在となり、ネジ７を締め付けた状態では、図１（ａ）に示すように、取付補助材６は固定部１０に密接して基礎部材３１に対して固定される。そして固定した状態において、上側当接部５と下側当接部９は対向している。
【００２０】
このように構成した棚３を壁面体に取り付けるには、ネジ７を緩めた状態で、棚３の係合部４を横材２の被係合部８に係合させ、上側当接部５を横材２の上面に当接させる（図１（ｃ）〜（ｂ））。そして、取付補助材６を時計回りに回動させて下側当接部９を横材２の下面に当接させ、ネジ７を締め付けて取付補助材６を固定させる（図１（ｂ）〜（ａ））。固定した状態では、上側当接部５と下側当接部９により棚３の上下方向の動きが規制される。また、係合部４が被係合部８に係合しているので、棚３の前方への動きが規制され、さらに取付補助材６の腕部６３が横材２の前側面に当接するので、棚３の後方への動きが規制される。一方、取り外しは逆の手順になり、ネジ７を緩め、取付補助材６を反時計回りに回動させて下側当接部９を横材２の下面から離し（図１（ａ）〜（ｂ））、係合部４を被係合部８から外せばよい（図１（ｂ）〜（ｃ））。棚３は、一番上の横材２以外のどの横材２にも取り付けることができ、また横材２に対する左右方向位置も自在である。図２に示す例では、上から四番目の横材２に、四つの棚３を取り付けてある。
【００２１】
このように、本発明の壁面体においては、容易に棚３の取り付け及び取り外しをすることができる。そして棚３は、上側当接部５が横材２の上面に当接し、下側当接部９が横材２の下面に当接しており、特に上側当接部５と下側当接部９が対向しているから、横材２に対して上下方向に規制され、下側から力が加わっても外れることがなく確実に固定される。さらに、取付補助材６は棚３の固定部１０にネジ止めするものであって、横材２に直接取り付けるものではないので、横材２にはネジ孔加工などが不要であり、棚３を外した状態の意匠性が良好である。また、横材２の前側からネジ止めを行うことができるので、作業性も良好である。
【００２２】
なお、壁面本体１や横材２は上述の構成に限られるものでなく、以下に他の実施形態を示す。図５に示すのは第二実施形態であり、壁面本体１として採光パネル１２を取り付けてある。採光パネル１２は、下側の横材２の溝部２１と、上側の補助横材２４の溝部２６と、左右の縦材１０３に形成した溝部にそれぞれビード材１３を取り付けて嵌め込んであり、透明なものでもよいし、半透明なものでもよい。
【００２３】
図６に示すのは第三実施形態であり、壁面本体１として格子材１４を取り付けてある。格子材１４は、板状であるが第一実施形態の板材よりも上下方向に短く、複数枚の格子材１４を、互いに離間させて上下に並べてある。よって、壁面本体１により通風が確保されるので補助横材は不要であり、横材２は、上側部材２ａに格子用下側部材２ｅを組み合わせてある（ただし、最も上側の横材２はカバー材２ｃに格子用下側部材２ｅを組み合わせてあり、最も下側の横材２は上側部材２ａに補強材２ｄを組み合わせてある）。格子用下側部材２ｅは、下面の後側端に格子材１４と略同形状の格子部２７を形成してあり、格子材１４と格子部２７を並べることで、後側からの外観が統一的で好ましいものとなる。なお、横材２の上面の溝部２１は、キャップ１５を嵌めて塞いである。
【００２４】
図７に示すのは第四実施形態であり、壁面本体１としてルーバーパネル１６を取り付けてある。横材２同士の間には、ルーバーパネル１６を傾斜させて支持するための中桟１７が二本ずつ配置してあり、それぞれの中桟１７がルーバーパネル１６を前後から挟み込んで支持している。第三実施形態と同様、壁面本体１により通風が確保されるので補助横材は不要であり、横材２は、上側部材２ａにルーバー用下側部材２ｆを組み合わせてある（ただし、最も上側の横材２はカバー材２ｃにルーバー用下側部材２ｆを組み合わせてあり、最も下側の横材２は上側部材２ａに補強材２ｄを組み合わせてある）。ルーバー用下側部材２ｆは、下面にルーバーパネル１６の支持部２８を有しており、上側のルーバーパネル１６の上端を支持している。一方、下側のルーバーパネル１６の下端は、横材２の上面の溝部２１に挿入し、ビード材１８により固定してある。
【００２５】
また、取付補助材６を固定する固定手段については、上述のようなネジに限られるものではない。図８に示すのは第五実施形態であり、取付補助材６に係合突起７ａを形成して固定手段としてある。係合突起７ａは取付補助材６の上面から上方に向けて突出しており、取付補助材６を時計回りに回動させて下側当接部９を横材２の下面に当接させると、係合突起７ａが固定部１０の先端に係合して、取付補助材６が基礎部材３１に対して固定される。さらに、取付補助材をバネにより時計回りに付勢して固定するものであってもよい。
【００２６】
本発明は、上記の実施形態に限定されない。たとえば、被係合部は棚の係合部と係合して棚の前方への動きを規制するものであればよく、壁面本体に形成してあってもよい。棚は一枚の板状のものや網状のものなど、一般に棚として用いられるものであればどのような形状であってもよい。また、棚の左右方向長さも自在であり、異なる長さのものを複数種類取り付けてもよい。さらに、横材が上側部材と下側部材を組み合わせたものではなく、一体に形成されたものであってもよいし、補助横材はなくてもよい。また、一つの壁面体において、複数種類の壁面本体を上下に組み合わせてもよい。さらに、壁面体の左右方向幅が狭い場合には、中骨を設けなくてもよい。
【符号の説明】
【００２７】
１  壁面本体
２  横材
３  棚
４  係合部
５  上側当接部
６  取付補助材
７  ネジ（固定手段）
８  被係合部
９  下側当接部
１０  固定部
【図１】
0005658047.tif 000002
【図２】
0005658047.tif 000003
【図３】
0005658047.tif 000004
【図４】
0005658047.tif 000005
【図５】
0005658047.tif 000006
【図６】
0005658047.tif 000007
【図７】
0005658047.tif 000008
【図８】
0005658047.tif 000009